(57)【要約】【課題】コストを抑え、録画予約した番組の放送時間が変更になった場合であっても、確実に録画を行うことができるようにする。【解決手段】予約制御部１０２は、例えば、デジタルチューナ１１０およびアナログチューナ１２０のそれぞれについて、録画予約された番組を特定可能な情報および録画時間を示す情報を含む予約リストを作成する。予約制御部１０２は、放送時間の変更や延長等により、デジタルチューナ１１０で録画予約された番組について、デジタルチューナ１１０で録画予約した複数の番組において録画時間の重複があると判断した場合、録画時間が重複する番組のうち所定の条件に合致する番組に対応するデジタルチューナ１１０用の予約リストを、アナログチューナ１２０用の予約リストとして記憶させる。【選択図】図１
2008278196.tif 000002
【特許請求の範囲】
【請求項１】
複数のチューナを備え録画予約された番組の録画を行う番組予約録画システムであって、
前記チューナを示す情報に対応付けて、当該チューナが受信して録画することを予約された番組を特定可能な情報と、当該番組の録画時間を示す情報とを含む予約情報を記憶する予約情報記憶手段と、
放送される番組を特定可能な情報と放送時間を示す情報とを含む番組表情報を、繰り返し受信する番組表情報受信手段と、
前記予約情報記憶手段が記憶する予約情報と、前記番組表情報受信手段が受信した番組表情報とに基づいて、録画予約された番組の放送時間が変更されたか否かを判断する放送時間変更判断手段と、
前記放送時間変更判断手段によって放送時間が変更されたと判断されると、同一のチューナを示す情報に対応付けられた予約情報に基づいて、同一のチューナを用いて録画予約された番組のうち、変更後の前記放送時間と重複した時間に録画予約されている番組があるか否かを判断する重複予約判断手段と、
前記重複予約判断手段によって重複した時間に録画予約されている番組があると判断されると、前記重複した時間に録画予約されている番組に対応する予約情報を、前記同一のチューナとは異なるチューナを示す情報に対応付けて前記予約情報記憶手段に記憶させる予約情報更新手段と
を備えたことを特徴とする番組予約録画システム。
【請求項２】
予約情報更新手段は、同一のチューナとは異なるチューナを示す情報に対応付けられた予約情報に基づいて、重複した時間に録画予約されている番組のうち、同一のチューナとは異なるチューナが受信する番組の録画時間と重複しない番組に対応する予約情報を予約情報記憶手段に記憶させる
請求項１記載の番組予約録画システム。
【請求項３】
デジタル放送を受信するチューナと、アナログ放送を受信するチューナとを備え、
重複予約判断手段は、デジタル放送を受信するチューナを示す情報に対応付けられた予約情報に基づいて、変更後の放送時間と重複した時間に録画予約されている番組があるか否かを判断し、
予約情報更新手段は、重複した時間に録画予約されている番組に対応する予約情報を、アナログ放送を受信するチューナを示す情報に対応付けて予約情報記憶手段に記憶させる
請求項１または請求項２記載の番組予約録画システム。
【請求項４】
デジタル放送を受信するチューナと、アナログ放送を受信するチューナとを備え、
重複予約判断手段は、アナログ放送を受信するチューナを示す情報に対応付けられた予約情報に基づいて、変更後の放送時間と重複した時間に録画予約されている番組があるか否かを判断し、
予約情報更新手段は、重複した時間に録画予約されている番組に対応する予約情報を、デジタル放送を受信するチューナを示す情報に対応付けて予約情報記憶手段に記憶させる
請求項１または請求項２記載の番組予約録画システム。
【請求項５】
デジタル放送を受信する第１のチューナと第２のチューナとを備え、
重複予約判断手段は、デジタル放送を受信する第１のチューナを示す情報に対応付けられた予約情報に基づいて、変更後の放送時間と重複した時間に録画予約されている番組があるか否かを判断し、
予約情報更新手段は、重複した時間に録画予約されている番組に対応する予約情報を、デジタル放送を受信する第２のチューナを示す情報に対応付けて予約情報記憶手段に記憶させる
請求項１または請求項２記載の番組予約録画システム。
【請求項６】
アナログ放送を受信する第１のチューナと第２のチューナとを備え、
重複予約判断手段は、アナログ放送を受信する第１のチューナを示す情報に対応付けられた予約情報に基づいて、変更後の放送時間と重複した時間に録画予約されている番組があるか否かを判断し、
予約情報更新手段は、重複した時間に録画予約されている番組に対応する予約情報を、アナログ放送を受信する第２のチューナを示す情報に対応付けて前記予約情報記憶手段に記憶させる
請求項１または請求項２記載の番組予約録画システム。
【請求項７】
第１の番組予約録画装置と第２の番組予約録画装置とを備え、
第１の番組予約録画装置は、重複予約判断手段を含み、
第２の番組予約録画装置は、予約情報更新手段を含む
請求項１から請求項６のうちのいずれか１項に記載の番組予約録画システム。
【請求項８】
番組を受信する複数のチューナを備え録画予約された番組の録画を行う番組予約録画方法であって、
前記チューナを示す情報に対応付けて、当該チューナが受信して録画することを予約された番組を特定可能な情報と、当該番組の録画時間を示す情報とを含む予約情報を予約情報記憶手段に記憶させる予約情報記憶ステップと、
放送される番組を特定可能な情報と放送時間を示す情報とを含む番組表情報を、繰り返し受信する番組表情報受信ステップと、
前記予約情報記憶手段が記憶する予約情報と、前記番組表情報受信ステップで受信した番組表情報とに基づいて、録画予約された番組の放送時間が変更されたか否かを判断する放送時間変更判断ステップと、
前記放送時間変更判断ステップで放送時間が変更されたと判断されると、同一のチューナを示す情報に対応付けられた予約情報に基づいて、同一のチューナを用いて録画予約された番組のうち、変更後の前記放送時間と重複した時間に録画予約されている番組があるか否かを判断する重複予約判断ステップと、
前記重複予約判断ステップで重複した時間に録画予約されている番組があると判断されると、前記重複した時間に録画予約されている番組に対応する予約情報を、前記同一のチューナとは異なるチューナを示す情報に対応付けて前記予約情報記憶手段に記憶させる予約情報更新ステップと
を含むことを特徴とする番組予約録画方法。
【発明の詳細な説明】
【技術分野】
【０００１】
本発明は、予約されたテレビジョン番組の録画を行う番組予約録画システムおよび番組予約録画方法に関する。
【背景技術】
【０００２】
アナログ放送からデジタル放送への過渡期には、ほとんどの地域で両方の放送が行われている。また、同じ系列の放送局であれば、アナログ放送とデジタル放送とで、同じ時間に同じ番組を放送していることが多い。総務省が２００２年９月に発表した地上デジタル放送の免許方針では、「地上アナログテレビ放送と同一の番組が、１日の放送時間中の３分の２以上であること」と決められている。
【０００３】
また、番組予約録画装置（例えば、一般にＨＤＤレコーダ、ビデオレコーダと呼ばれる装置）として、アナログチューナおよびデジタルチューナの両方を搭載しているものが一般的である。
【０００４】
また、番組予約録画装置において、録画予約した番組の放送時間が遅れたり、番組の放送時間自体が延長された場合に、最新の番組表データに基づいて、自動で延長録画を実行する機能を搭載することが一般的になってきている。
【０００５】
図６は、録画予約した番組の放送時間が変更になる場合の例を示す説明図である。例えば、放送局αの番組Ａおよび放送局βの番組Ｂの録画予約を設定している場合について説明する。図６（Ａ）には、放送時間が９時から１０時までである番組Ａの開始時間が９時１５分まで遅れ、放送時間が９時１５分から１０時１５分になる場合（番組Ａ’）を例示する。また、図６（Ｂ）には、番組Ａの放送時間が９時から１０時１５分になる場合を例示する。図６（Ａ），（Ｂ）に示すどちらの場合も、１０時から１０時１５分までの間、番組Ａと放送時間が１０時からの番組Ｂとの録画時間が重複する。
【０００６】
このような場合、一般的な番組予約録画装置では、録画装置の仕様によりあらかじめ設定された優先度または初期設定やあらかじめアプリケーション等を用いてユーザが設定した優先順位に従って、優先順位の高い一方の番組のみが録画され、優先順位の低い番組の録画がされないか、重複しない時間帯のみが録画される。例えば、番組Ａの優先度が高い場合には、番組Ａが録画され、番組Ｂの録画予約は破棄されてしまう。逆に、番組Ｂの優先度が高ければ、番組Ａの録画を停止し、番組Ｂの録画を開始させる。
【０００７】
録画時間帯が重複する２つの番組を録画できるようにするために、デジタルチューナを２つ備えるようにした番組予約録画装置がある。しかし、いずれのデジタルチューナを録画に用いるかは、ユーザによって手動で設定されることが多い。そのため、録画時間帯が重複する２つの番組について、同じチューナで予約設定されている場合、録画漏れが発生する。また、デジタルチューナを２つ使用することによるコストアップや、開発の複雑さによる開発工数の増加が問題となっている。
【０００８】
番組予約録画システムとして、所望の番組の放映時刻に変更や延長があったときでも録画を確実に行うことができるとともに、所望の番組の放映が中止になったときには録画を中止するようにした番組予約録画システムおよび番組予約録画方法が提案されている（例えば、特許文献１参照）。特許文献１には、連続する時間帯で異なる放送局による番組を連続して録画予約している場合に、先の時間帯における第１の番組の放映が延長されて、この第１の番組の放映が継続している間に、次の時間帯における第２の番組の放映が開始されるようなとき、第１の番組を第１の番組受信機構により受信して録画すると共に、第２の番組を第２の番組受信機構により受信して録画することが記載されている。
【０００９】
また、アナログ放送番組を録画する際に急な放送時間の変更にも対応することができる録画システムが提案されている（例えば、特許文献２参照）。特許文献２には、アナログ放送番組に対応するデジタル放送番組の放送開始タイミングと放送終了タイミングに基づいて、アナログ放送番組の録画開始と録画終了を制御することが記載されている。例えば、特許文献２には、デジタル放送の番組表から放送時間の延長などの情報を入手し、アナログ放送の予約録画に適用させることにより、録画漏れを防ぐことが記載されている。
【００１０】
【特許文献１】特開２００５−５８３２号公報（段落００５９，００６０）
【特許文献２】特開２００６−９４３１７号公報（段落００１２，００３４−００３９）
【発明の開示】
【発明が解決しようとする課題】
【００１１】
現状では、予約録画の重複に関してのユーザビリティが利便性に欠けているため、開発コスト等を抑えた形で利便性を向上させる方式が望まれている。
【００１２】
しかし、特許文献１に記載された方式では、録画の予約を管理する番組予約録画管理部、番組予約録画管理機構等の第三者のサービスが必要であって、録画機自体が録画予約を管理することができない。このようなサービスは、一般に有料である。また、番組予約録画管理機構が録画機に送信する放映情報に、放送局ＩＤや番組固有ＩＤ等の固有ＩＤが設定されるため、サービス側（番組予約録画管理機構）と受信機側（録画機）とでインタフェースを合わせる必要がある。
【００１３】
また、特許文献２に記載された方式では、録画予約そのものをアナログ放送からデジタル放送に置き換えて録画漏れ（ミス）を防ぐものではないため、デジタル放送番組の番組表とアナログ放送番組の番組表とが異なる場合には、所望しない番組が録画されてしまう可能性がある。また、アナログ放送番組の番組表として、常に最新の情報を取り込むことができる場合には、効果が薄い。
【００１４】
そこで、本発明は、コストを抑え、録画予約した番組の放送時間が変更になった場合であっても、確実に録画を行うことができる番組予約録画システムおよび番組予約録画方法を提供することを目的とする。
【課題を解決するための手段】
【００１５】
本発明による番組予約録画システムは、複数のチューナを備え録画予約された番組の録画を行う番組予約録画システムであって、チューナを示す情報に対応付けて、当該チューナが受信して録画することを予約された番組を特定可能な情報と、当該番組の録画時間を示す情報とを含む予約情報（例えば、予約リスト）を記憶する予約情報記憶手段と、放送される番組を特定可能な情報と放送時間を示す情報とを含む番組表情報（例えば、番組表データ）を、繰り返し受信する番組表情報受信手段（例えば、番組表制御部１０１）と、予約情報記憶手段が記憶する予約情報と、番組表情報受信手段が受信した番組表情報とに基づいて、録画予約された番組の放送時間が変更されたか否かを判断する放送時間変更判断手段（例えば、予約制御部１０２）と、放送時間変更判断手段によって放送時間が変更されたと判断されると、同一のチューナを示す情報に対応付けられた予約情報に基づいて、同一のチューナを用いて録画予約された番組のうち、変更後の放送時間と重複した時間に録画予約されている番組があるか否かを判断する重複予約判断手段（例えば、予約制御部１０２）と、重複予約判断手段によって重複した時間に録画予約されている番組があると判断されると、重複した時間に録画予約されている番組に対応する予約情報を、同一のチューナとは異なるチューナを示す情報に対応付けて予約情報記憶手段に記憶させる予約情報更新手段（例えば、予約制御部１０２）とを備えたことを特徴とする。
【００１６】
予約情報更新手段は、同一のチューナとは異なるチューナを示す情報に対応付けられた予約情報に基づいて、重複した時間に録画予約されている番組のうち、同一のチューナとは異なるチューナが受信する番組の録画時間と重複しない番組に対応する予約情報を予約情報記憶手段に記憶させることが好ましい。
【００１７】
デジタル放送を受信するチューナと、アナログ放送を受信するチューナとを備え、重複予約判断手段は、デジタル放送を受信するチューナを示す情報に対応付けられた予約情報に基づいて、変更後の放送時間と重複した時間に録画予約されている番組があるか否かを判断し、予約情報更新手段は、重複した時間に録画予約されている番組に対応する予約情報を、アナログ放送を受信するチューナを示す情報に対応付けて予約情報記憶手段に記憶させてもよい。
【００１８】
デジタル放送を受信するチューナと、アナログ放送を受信するチューナとを備え、重複予約判断手段は、アナログ放送を受信するチューナを示す情報に対応付けられた予約情報に基づいて、変更後の放送時間と重複した時間に録画予約されている番組があるか否かを判断し、予約情報更新手段は、重複した時間に録画予約されている番組に対応する予約情報を、デジタル放送を受信するチューナを示す情報に対応付けて予約情報記憶手段に記憶させてもよい。
【００１９】
デジタル放送を受信する第１のチューナと第２のチューナとを備え、重複予約判断手段は、デジタル放送を受信する第１のチューナを示す情報に対応付けられた予約情報に基づいて、変更後の放送時間と重複した時間に録画予約されている番組があるか否かを判断し、予約情報更新手段は、重複した時間に録画予約されている番組に対応する予約情報を、デジタル放送を受信する第２のチューナを示す情報に対応付けて予約情報記憶手段に記憶させてもよい。
【００２０】
アナログ放送を受信する第１のチューナと第２のチューナとを備え、重複予約判断手段は、アナログ放送を受信する第１のチューナを示す情報に対応付けられた予約情報に基づいて、変更後の放送時間と重複した時間に録画予約されている番組があるか否かを判断し、予約情報更新手段は、重複した時間に録画予約されている番組に対応する予約情報を、アナログ放送を受信する第２のチューナを示す情報に対応付けて予約情報記憶手段に記憶させてもよい。
【００２１】
第１の番組予約録画装置と第２の番組予約録画装置とを備え、第１の番組予約録画装置は、重複予約判断手段を含み、第２の番組予約録画装置は、予約情報更新手段を含んでもよい。
【００２２】
本発明による番組予約録画方法は、番組を受信する複数のチューナを備え録画予約された番組の録画を行う番組予約録画方法であって、チューナを示す情報に対応付けて、当該チューナが受信して録画することを予約された番組を特定可能な情報と、当該番組の録画時間を示す情報とを含む予約情報を予約情報記憶手段に記憶させる予約情報記憶ステップと、放送される番組を特定可能な情報と放送時間を示す情報とを含む番組表情報を、繰り返し受信する番組表情報受信ステップと、予約情報記憶手段が記憶する予約情報と、番組表情報受信ステップで受信した番組表情報とに基づいて、録画予約された番組の放送時間が変更されたか否かを判断する放送時間変更判断ステップと、放送時間変更判断ステップで放送時間が変更されたと判断されると、同一のチューナを示す情報に対応付けられた予約情報に基づいて、同一のチューナを用いて録画予約された番組のうち、変更後の放送時間と重複した時間に録画予約されている番組があるか否かを判断する重複予約判断ステップと、重複予約判断ステップで重複した時間に録画予約されている番組があると判断されると、重複した時間に録画予約されている番組に対応する予約情報を、同一のチューナとは異なるチューナを示す情報に対応付けて予約情報記憶手段に記憶させる予約情報更新ステップとを含むことを特徴とする。
【発明の効果】
【００２３】
本発明によれば、コストを抑え、録画予約した番組の放送時間が変更になった場合であっても、確実に録画を行うことができるという効果がある。
【発明を実施するための最良の形態】
【００２４】
実施の形態１．
以下、本発明の第１の実施の形態を図面を参照して説明する。図１は、第１の実施の形態の番組予約録画装置の構成例を示すブロック図である。図１に示す番組予約録画装置１００は、番組表サーバ１０と、インターネット２０を介して接続されている。番組表サーバ１０は、インターネット２０等の通信ネットワークを介して、番組表データを番組予約録画装置１００に送信する。番組表データは、放送される番組を特定可能な情報と放送時間を示す情報とを含む情報であって、例えば、番組名、日時、出演者等を示す情報を含む。
【００２５】
番組予約録画装置１００は、例えば、ＨＤＤレコーダやビデオレコーダによって実現される。番組予約録画装置１００は、番組表制御部１０１と、予約制御部１０２と、条件記憶部１０３と、デジタルチューナ１１０と、デジタル番組表記憶部１１１と、デジタル用アンテナ１１２と、アナログチューナ１２０と、アナログ番組表記憶部１２１と、アナログ用アンテナ１２２とを備える。
【００２６】
デジタルチューナ１１０は、デジタル用アンテナ１１２を介して、放送局からのデジタル放送信号を受信する。また、デジタルチューナ１１０は、放送局が放送するデジタル放送の番組表データをデジタル番組表記憶部１１１に記憶させる。
【００２７】
アナログチューナ１２０は、アナログ用アンテナ１２２を介して、放送局からのアナログ放送信号を受信する。また、アナログチューナ１２０は、放送局が放送するアナログ放送の番組表データをアナログ番組表記憶部１２１に記憶させる。
【００２８】
番組表制御部１０１は、プログラムに従って動作し、番組表サーバ１０がインターネット２０を介して送信する最新のデジタル放送の番組表データ（例えば、ＡＤＡＭＳ−ＥＰＧ＋、Ｇ−ＧＵＩＤＥ（登録商標））を受信して、デジタル番組表記憶部１１１に記憶させることにより、デジタル番組表記憶部１１１が記憶するデジタル放送の番組表データを最新の内容に更新する。また、番組表制御部１０１は、番組表サーバ１０がインターネット２０を介して送信する最新のアナログ放送の番組表データを受信して、アナログ番組表記憶部１２１に記憶させることにより、アナログ番組表記憶部１２１が記憶するアナログ放送の番組表データを最新の内容に更新する。例えば、番組表制御部１０１は、所定の時間間隔で最新の番組表データを受信する。
【００２９】
以下、番組表制御部１０１が、番組表サーバ１０がインターネット２０を介して送信する番組表データを受信してデジタル番組表記憶部１１１に記憶させる場合を例にして説明する。なお、番組表制御部１０１は、放送局が放送するデジタル放送の番組表データであってデジタルチューナ１１０が受信した番組表データを、デジタル番組表記憶部１１１に記憶させることにより、デジタル放送の番組表データを最新の内容に更新してもよい。同様に、番組表制御部１０１は、放送局が放送するアナログ放送の番組表データであってアナログチューナ１２０が受信した番組表データを、アナログ番組表記憶部１２１に記憶させることにより、アナログ放送の番組表データを最新の内容に更新してもよい。
【００３０】
予約制御部１０２は、プログラムに従って動作し、デジタル放送およびアナログ放送の番組の録画予約の制御を行う。予約制御部１０２は、例えば、ユーザの録画予約操作に従って、デジタルチューナ１１０が受信して録画することを予約された番組を特定可能な情報およびその番組の録画時間を示す情報を含む予約リストを作成し、デジタルチューナ１１０を示す情報に対応付けて、デジタルチューナ１１０用の予約リストとして記憶部（図示せず。）に記憶する。同様に、予約制御部１０２は、例えば、ユーザの録画予約操作に従って、アナログチューナ１２０が受信して録画することを予約された番組を特定可能な情報およびその番組の録画時間を示す情報を含む予約リストを作成し、アナログチューナ１２０を示す情報に対応付けて、アナログチューナ１２０用の予約リストとして記憶部に記憶する。予約リストは、例えば、日時、曜日、番組名、放送局名等を含む情報である。
【００３１】
以下、デジタルチューナ１１０が受信して録画することを予約された番組を、「デジタルチューナ１１０で録画予約された番組」と表記し、アナログチューナ１２０が受信して録画することを予約された番組を、「アナログチューナ１２０で録画予約された番組」と表記する場合がある。
【００３２】
また、予約制御部１０２は、デジタル番組表記憶部１１１が記憶するデジタル放送の番組表データと、作成したデジタルチューナ１１０用の予約リストとに基づいて、デジタルチューナ１１０で録画予約された番組について、放送時間の変更や延長等があるか否かを判断する。予約制御部１０２は、例えば、録画予約された番組の放送時間が延長された場合には、予約リストが含む録画時間を示す情報として、変更後の放送時間を示す情報を記憶させる。予約制御部１０２は、デジタルチューナ１１０で録画予約された複数の番組について、録画時間の重複があるか否かを判断する。
【００３３】
予約制御部１０２は、デジタルチューナ１１０用の予約リストに基づいて、デジタルチューナ１１０で録画予約された複数の番組において録画時間の重複があると判断した場合、条件記憶部１０３が記憶する条件を抽出する。条件記憶部１０３は、例えば、デジタルチューナ１１０での録画予約をアナログチューナ１２０での録画予約に切り替えるための条件を記憶する。条件記憶部１０３が記憶する条件は、例えば、デジタル放送の番組であってもアナログ放送されている場合にはアナログチューナ１２０で受信して録画してもよい番組を特定するための条件（例えば、番組名、日時等）である。
【００３４】
予約制御部１０２は、抽出した条件と、アナログ番組表記憶部１２１が記憶するアナログ放送の番組表データとに基づいて、抽出した条件に合致する番組がアナログ放送の番組表データ中にあるか否かを判断する。すなわち、予約制御部１０２は、もともとデジタルチューナ１１０で録画予約された番組であって、アナログチューナ１２０で受信して録画してもよいと特定された番組が、アナログ放送されているか否かを判断する。抽出した条件に合致する番組がアナログ放送の番組表データ中にあると判断した場合、予約制御部１０２は、新たにアナログチューナ１２０で録画予約を行おうとしている番組の録画時間が、既にアナログチューナ１２０で録画予約されている別の番組の録画時間と重複しないか判断する。
【００３５】
予約制御部１０２は、重複しないと判断した場合には、抽出した条件に合致する番組を特定し、アナログチューナ１２０での録画予約を行う。すなわち、予約制御部１０２は、抽出した条件に合致する番組に対応するデジタルチューナ１１０用の予約リストを、アナログチューナ１２０用の予約リストとして記憶部に記憶させる。同時に、予約制御部１０２は、デジタルチューナ１１０での録画予約を解除する。一方、重複すると判断した場合には、予約制御部１０２は、あらかじめユーザによって設定された優先順位に従って録画を行う。
【００３６】
番組表制御部１０１および予約制御部１０２は、番組予約録画装置１００に搭載されるＣＰＵが、それらの機能を実現するためのプログラムを実行することによって実現される。また、条件記憶部１０３、デジタル番組表記憶部１１１およびアナログ番組表記憶部１２１は、ＣＰＵの内部または外部に設けられたメモリによって実現される。
【００３７】
次に、図２を参照して第１の実施の形態の動作について説明する。図２は、第１の実施の形態の番組予約録画装置１００の動作を示すフローチャートである。
【００３８】
予約制御部１０２は、所定の契機に、デジタルチューナ１１０用の予約リストに基づいて、録画予約された番組があるか否かを判断する（ステップＳ１０１）。録画予約された番組がないと判断した場合（なし）には、ステップＳ１０１に移行する。
【００３９】
録画予約された番組があると判断した場合（ある）には、予約制御部１０２は、デジタル番組表記憶部１１１が記憶するデジタル放送の番組表データと、デジタルチューナ１１０用の予約リストとに基づいて、デジタルチューナ１１０で録画予約された番組の放送開始時間の遅れや延長等があるか否かを判断する（ステップＳ１０２）。放送開始時間の遅れや延長等がないと判断した場合（なし）には、ステップＳ１０７に移行する。
【００４０】
ステップＳ１０２において、放送開始時間の遅れや延長等があると判断した場合（ある）には、予約制御部１０２は、デジタルチューナ１１０で録画予約された複数の番組において、録画時間の重複があるか否かを判断する（ステップＳ１０３）。重複があると判断した場合（ある）、ステップＳ１０４に移行する。重複がないと判断した場合（なし）、ステップＳ１０７に移行する。
【００４１】
ステップＳ１０７において、予約制御部１０２は、予約時間か否かを判断し、予約時間と判断した場合（ＹＥＳ）、録画を開始する（ステップＳ１０８）。例えば、スポーツ番組のように、延長時間があらかじめ決まっていない番組、すなわち、録画開始後に延長が決まる番組があるため、予約制御部１０２は、録画中も、番組の放送の延長があるか否かを判断する（ステップＳ１０９）。延長があると判断した場合（ある）には、ステップＳ１０３に移行する。延長がないと判断した場合（なし）には、録画を終了し（ステップＳ１１０）、一連の処理を終了する。
【００４２】
また、ステップＳ１０７において、予約制御部１０２は、予約時間ではないと判断した場合（ＮＯ）、ステップＳ１０２に移行する。
【００４３】
なお、ステップＳ１０９において、延長があると判断した場合（ある）には、予約制御部１０２は、ステップＳ１０３に移行し、録画時間の重複があるか否かを判断する。ステップＳ１０３において、重複がないと判断した場合（なし）、ステップＳ１０７に移行する。ステップＳ１０７において、予約制御部１０２は、録画中であれば無条件でステップＳ１０８に移行し、ステップＳ１０８において、延長録画を実行する。
【００４４】
ステップＳ１０４において、予約制御部１０２は、条件記憶部１０３が記憶する条件を抽出する。予約制御部１０２は、ステップＳ１０４において抽出した条件と、アナログ番組表記憶部１２１が記憶するアナログ放送の番組表データとを比較し（ステップＳ１０５）、抽出した条件に合致する番組がアナログ放送の番組表データ中にあるか否かを判断する（ステップＳ１０６）。条件に合致する番組が番組表データ中にあると判断した場合（ある）、ステップＳ１１１に移行する。
【００４５】
ステップＳ１０６において、条件に合致する番組がないと判断した場合（なし）、一連の処理を終了する。この場合、録画時間が重複した番組のうちの一方について、予約録画がされないことになる。ただし、延長された番組の録画を優先するという条件や、延長を無視して次の予約番組の録画を優先するという条件や、重複しない時間帯のみ録画するという条件などをあらかじめアプリケーション等で設定しておくことは可能である。
【００４６】
ステップＳ１１１において、予約制御部１０２は、新たにアナログチューナ１２０で録画予約を行おうとしている番組（すなわち、ステップＳ１０６において、合致すると判断された番組）の録画時間が、既にアナログチューナ１２０で録画予約されている別の番組の録画時間と重複しないか判断する。ここで、予約制御部１０２は、アナログ番組表記憶部１２１が記憶するアナログ放送の番組表データと、アナログチューナ１２０用の予約リストとに基づいて、ステップＳ１１１における判断を行う。
【００４７】
重複がないと判断した場合（なし）には、予約制御部１０２は、ステップＳ１０６において合致すると判断された番組の録画予約を行い（ステップＳ１１２）、録画を行って（ステップＳ１１３）、一連の処理を終了する。
【００４８】
ステップＳ１１１において、重複があると判断した場合（ある）には、予約制御部１０２は、あらかじめユーザによって設定された優先順位について判断する（ステップＳ１１４）。
【００４９】
例えば、もともとデジタルチューナ１１０で録画予約されていた番組と、もともとアナログチューナ１２０で録画予約されていた番組のどちらを優先するかの設定について、デジタルチューナ１１０で録画予約されていた番組が優先の場合（デジタル）には、ステップＳ１１２に移行する。
【００５０】
一方、アナログチューナ１２０で録画予約されていた番組が優先の場合（アナログ）、予約制御部１０２は、既にアナログチューナ１２０で録画予約されている番組の録画を行い（ステップＳ１１５）、一連の処理を終了する。
【００５１】
以上に説明したように、第１の実施の形態によれば、デジタルチューナを２つ３つと追加することなく、予約録画の漏れ（ミス）をなくすことができる。特に、画質にこだわらない場合や、週に１回放送されるドラマのような番組を１話たりとも見逃したくないような場合において有効である。また、デジタルチューナを追加する必要が無いため、部品コストおよび開発工数を抑えることができる。特に、第１の実施の形態によれば、ファームウエアやアプリケーションなどのソフトウエアで対応可能であるため、現在主流であるデジタルチューナとアナログチューナを１つずつ有する録画装置のハードウエア資産をそのまま使用できるという効果がある。
【００５２】
なお、上記で説明した例とは逆に、アナログチューナ１２０で録画予約された複数の番組において、放送時間の変更や延長等による録画時間の重複がある場合、新たにデジタルチューナ１１０での録画予約を行ってもよい。
【００５３】
実施の形態２．
次に、本発明の第２の実施の形態を図面を参照して説明する。第２の実施の形態では、番組予約録画装置が２つのデジタルチューナを備えた場合について説明する。録画時間帯が重複する２つの番組について、同じチューナが録画予約設定されている場合であっても、重複を検出した時点でもう一方のチューナに代行させることができる。
【００５４】
図３は、第２の実施の形態の番組予約録画装置の構成例を示すブロック図である。図３に示す番組予約録画装置２００は、番組表サーバ１０と、インターネット２０を介して接続されている。番組表サーバ１０は、インターネット２０等の通信ネットワークを介して、番組を特定可能な情報、番組名、放送時間等を含む番組表データを番組予約録画装置２００に送信する。ただし、放送局が放送するデジタル放送の番組表データは、常に最新に更新されるため、番組表サーバ１０と、インターネット２０とを構成から外すことも可能である。
【００５５】
番組予約録画装置２００は、番組表制御部１０１と、予約制御部１０２と、デジタルチューナ１１０，２１０と、デジタル番組表記憶部１１１と、デジタル用アンテナ１１２，２１２とを備える。なお、第１の実施の形態における番組予約録画装置１００と同様の構成部については、図１と同一の符号を付し、説明を省略する。
【００５６】
デジタルチューナ１１０，２１０は、それぞれデジタル用アンテナ１１２，２１２を介して、放送局からのデジタル放送を受信する。また、デジタルチューナ１１０は、放送局が放送するデジタル放送の番組表データをデジタル番組表記憶部１１１に記憶させる。なお、デジタルチューナ２１０が、デジタル放送の番組表データをデジタル番組表記憶部１１１に記憶させてもよい。番組予約録画装置２００が２つのデジタルチューナ１１０，２１０を備えることから、デジタルチューナ１１０，２１０のいずれかがデジタル放送の番組表データをデジタル番組表記憶部１１１に記憶させればよい。
【００５７】
また、第２の実施の形態では、新たに録画予約を行う番組もデジタルチューナ２１０で録画予約されるため、アナログチューナ１２０で受信して録画してもよい番組と特定するための条件を記憶する必要もない。そのため、番組表制御部１０１および予約制御部１０２の制御が簡単になる。なお、アナログチューナを２個備える場合であっても同様である。
【００５８】
番組表制御部１０１は、プログラムに従って動作し、番組表サーバ１０がインターネット２０を介して送信する最新のデジタル放送の番組表データを受信して、デジタル番組表記憶部１１１に記憶させることにより、デジタル番組表記憶部１１１が記憶するデジタル放送の番組表データを最新の内容に更新する。デジタル番組表記憶部１１１が記憶するデジタル放送の番組表データは、放送局が放送するデジタル放送の番組表データであってデジタルチューナ１１０が受信した番組表データを、デジタル番組表記憶部１１１に記憶させることにより、デジタル放送の番組表データを最新の内容に更新してもよい。
【００５９】
予約制御部１０２は、プログラムに従って動作し、デジタル放送の番組の録画予約の制御を行う。例えば、予約制御部１０２は、デジタルチューナ１１０，２１０のそれぞれについて予約リストを作成する。
【００６０】
予約制御部１０２は、番組表制御部１０１が更新した最新のデジタル放送の番組表データおよびデジタルチューナ１１０，２１０の予約リストに基づいて、デジタルチューナ１１０で録画予約された複数の番組において、放送時間の変更や延長等による録画時間の重複があるか否かを判断する。予約制御部１０２は、デジタルチューナ１１０での録画時間が重複している番組のうちの一方の番組について、デジタルチューナ２１０で録画予約されている別の番組の録画時間と重複しない場合には、デジタルチューナ２１０で録画予約を行う。
【００６１】
次に、図４を参照して第２の実施の形態の動作について説明する。図４は、第２の実施の形態の番組予約録画装置２００の動作を示すフローチャートである。なお、第１の実施の形態における番組予約録画装置１００と同様の処理については、図２と同一の符号を付し、説明を省略する。
【００６２】
予約制御部１０２は、所定の契機に、デジタルチューナ１１０用の予約リストに基づいて、録画予約された番組があるか否かを判断する（ステップＳ２０１）。録画予約された番組がないと判断した場合（なし）には、ステップＳ２０１に移行する。
【００６３】
録画予約された番組があると判断した場合（ある）には、予約制御部１０２は、デジタルチューナ１１０で録画予約された番組の放送開始時間の遅れや延長等があるか否かを判断する（ステップＳ２０２）。放送開始時間の遅れや延長等がないと判断した場合（なし）には、ステップＳ１０７に移行する。
【００６４】
ステップＳ２０２において、放送開始時間の遅れや延長等があると判断した場合（ある）には、予約制御部１０２は、デジタルチューナ１１０で録画予約された複数の番組において、録画時間の重複があるか否かを判断する（ステップＳ２０３）。重複があると判断した場合（ある）、ステップＳ２１１に移行する。重複がないと判断した場合（なし）、ステップＳ１０７に移行する。
【００６５】
ステップＳ１０７において、予約時間がきたら（ステップＳ１０７）、予約制御部１０２は、録画を開始する（ステップＳ１０８）。予約制御部１０２は、録画中も、番組の放送の延長があるか否かを判断する（ステップＳ１０９）。延長がないと判断した場合（なし）には、予約制御部１０２は録画を終了し（ステップＳ１１０）、一連の処理を終了する。また、ステップＳ１０７において、予約制御部１０２は、予約時間ではないと判断した場合（ＮＯ）、ステップＳ２０２に移行する。
【００６６】
なお、ステップＳ１０９において、延長があると判断した場合（ある）には、予約制御部１０２は、ステップＳ２０３に移行し、録画時間の重複があるか否かを判断する。ステップＳ２０３において、重複がないと判断した場合（なし）、ステップＳ１０７に移行する。ステップＳ１０７において、予約制御部１０２は、録画中であれば無条件でステップＳ１０８に移行し、ステップＳ１０８において、予約制御部１０２は、延長録画を実行する。
【００６７】
ステップＳ２１１において、予約制御部１０２は、ステップＳ２０３で録画時間の重複があると判断した番組の一方であって、新たにデジタルチューナ２１０で録画予約を行おうとしている番組の録画時間が、既にデジタルチューナ２１０で録画予約されている別の番組の録画時間と重複しないか判断する。ここで、予約制御部１０２は、デジタル番組表記憶部１１１が記憶する番組表データと、デジタルチューナ２１０用の予約リストとに基づいて、ステップＳ２１１における判断を行う。
【００６８】
重複がないと判断した場合（なし）には、予約制御部１０２は、新たにデジタルチューナ２１０で録画予約を行おうとしている番組の録画予約を行い（ステップＳ２１２）、録画を行って（ステップＳ２１３）、一連の処理を終了する。
【００６９】
ステップＳ２１１において、重複があると判断した場合（ある）には、予約制御部１０２は、あらかじめユーザによって設定された優先順位について判断する（ステップＳ２１４）。
【００７０】
例えば、もともとデジタルチューナ１１０で録画予約されていた番組と、もともとデジタルチューナ２１０で録画予約されていた番組のどちらを優先するかの設定について、デジタルチューナ１１０で録画予約されていた番組が優先の場合（チューナ１１０）には、ステップＳ２１２に移行する。
【００７１】
一方、デジタルチューナ２１０で録画予約されていた番組が優先の場合（チューナ２１０）、予約制御部１０２は、既にデジタルチューナ２１０で録画予約されている番組の録画を行い（ステップＳ１１５）、一連の処理を終了する。
【００７２】
以上に説明したように、第２の実施の形態によれば、第１の実施の形態による効果と同様に、録画予約した番組の放送時間が変更になった場合であっても、確実に録画を行うことができる。また、すべて高画質のデジタル放送の番組として録画することができる。
【００７３】
なお、上記で説明した例とは逆に、デジタルチューナ２１０で録画予約された複数の番組において、放送時間の変更や延長等による録画時間の重複がある場合、新たにデジタルチューナ１１０での録画予約を行ってもよい。
【００７４】
実施の形態３．
次に、本発明の第３の実施の形態を図面を参照して説明する。第３の実施の形態では、表示機器（例えば、液晶ディスプレイ、プラズマディスプレイ等）が録画機能を有する場合について説明する。番組予約録画装置は、表示機器の録画機能を制御して、録画予約を代行する。
【００７５】
図５は、第３の実施の形態の番組予約録画システムの構成例を示すブロック図である。図５に示す番組予約録画システムは、少なくとも１つ以上のチューナを有する番組予約録画装置３００と、録画機能を有する表示機器４００とを備える。
【００７６】
番組予約録画装置３００は、予約制御部３０２と、ＨＤＭＩ３０３と、デジタルチューナ１１０と、デジタル用アンテナ１１２とを含む。また、表示機器４００は、録画制御部４０１と、ＨＤＭＩ４０３とを含む。なお、表示機器４００は、デジタルチューナ（図示せず。）を含んでもよい。ＨＤＭＩ３０３と、ＨＤＭＩ４０３とは、具体的には、ＨＤＭＩに対応した端子等であって、互いに接続される。
【００７７】
予約制御部３０２は、ＨＤＭＩのＣＥＣ機能を使用して、表示機器４００の録画制御部４０１を制御する。例えば、番組予約録画装置３００において録画予約の重複が発生した場合、予約制御部３０２は、ＨＤＭＩのＣＥＣ機能を使用して、表示機器４００の録画制御部４０１と通信を行い、録画時間が重複する番組であって、表示機器で録画してもよい番組を特定可能な情報（例えば、放送日時、番組名、放送局等）を送信する。
【００７８】
表示機器４００の録画制御部４０１は、受信した情報が示す番組の録画時間が、既に表示機器４００で録画予約されている別の番組の録画時間と重複しないか判断し、重複しない場合には録画予約を行う。
【００７９】
なお、表示機器４００で録画予約された複数の番組において、放送時間の変更や延長等による録画時間の重複がある場合、新たに番組予約録画装置３００での録画予約を行ってもよい。
【産業上の利用可能性】
【００８０】
本発明は、録画の予約をしていた番組の放送時間が変更されたことにより、複数の番組の録画時間が重複した場合に効果的に適用できる。
【図面の簡単な説明】
【００８１】
【図１】第１の実施の形態の番組予約録画装置の構成例を示すブロック図である。
【図２】第１の実施の形態の番組予約録画装置の動作を示すフローチャートである。
【図３】第２の実施の形態の番組予約録画装置の構成例を示すブロック図である。
【図４】第２の実施の形態の番組予約録画装置の動作を示すフローチャートである。
【図５】第３の実施の形態の番組予約録画システムの構成例を示すブロック図である。
【図６】録画予約した番組の放送時間が変更になる場合の例を示す説明図である。
【符号の説明】
【００８２】
１０    番組表サーバ
２０    インターネット
１００  番組予約録画装置
１０１  番組表制御部
１０２  予約制御部
１０３  条件記憶部
１１０  デジタルチューナ
１１１  デジタル番組表記憶部
１１２  デジタル用アンテナ
１２０  アナログチューナ
１２１  アナログ番組表記憶部
１２２  アナログ用アンテナ
【図１】
2008278196.tif 000003
【図２】
2008278196.tif 000004
【図３】
2008278196.tif 000005
【図４】
2008278196.tif 000006
【図５】
2008278196.tif 000007
【図６】
2008278196.tif 000008